(57)【要約】【課題】端子台に対する作業性を損なうことなく、端子台の防水性を高める。【解決手段】 空気調和システムの室外ユニットに搭載される端子台は、その開口部が防水カバーによって覆われている。防水カバーは、上端部が室外ユニットの筐体側に固定されると共に下端部が遊端部とされ、遊端部を上方に持ち上げることにより端子台が露出する。防水カバーにより端子台を覆うため、その防水性を高めることができる。また、遊端部を上方に引き上げるだけで端子台が露出するため、その作業性を損なわないようにすることができる。【選択図】図２
2018169092.tif 000002
【特許請求の範囲】
【請求項１】
空気調和システムの室外ユニットに搭載される端子台の防水構造であって、
前記端子台を覆う防水カバーを備え、
前記防水カバーは、上端部が前記室外ユニットの筐体側に固定されると共に下端部が遊端部とされ、前記下端部を上方に引き上げることにより前記端子台が露出する、
端子台の防水構造。
【請求項２】
請求項１記載の端子台の防水構造であって、
前記防水カバーは、柔軟なシート体により形成される、
端子台の防水構造。
【請求項３】
請求項１または２記載の端子台の防水構造であって、
前記防水カバーは、透明または半透明のシート体により形成される、
端子台の防水構造。
【請求項４】
請求項１ないし３いずれか１項に記載の端子台の防水構造であって、
前記防水カバーは、前記上端部から下方へ離間した位置に差し込み部を有し、
前記筐体は、前記端子台の上方において、前記差し込み部が差し込まれて前記端子台が露出した状態で前記防水カバーを保持する被差し込み部を有する、
端子台の防水構造。
【請求項５】
請求項４記載の端子台の防水構造であって、
前記差し込み部は、前記防水カバーに形成された切れ込みである、
端子台の防水構造。
【請求項６】
請求項５記載の端子台の防水構造であって、
前記切れ込みは、半円状に形成されている、
端子台の防水構造。
【発明の詳細な説明】
【技術分野】
【０００１】
本発明は、空気調和システムの室外ユニットに搭載される端子台の防水構造に関する。
【背景技術】
【０００２】
従来より、圧縮機と室外熱交換器とを含む室外ユニット（室外ユニット）と、室内熱交換器を有する室内ユニットとを備える空気調和システムが提案されている（例えば、特許文献１参照）。室外ユニットの筐体には、圧縮機や、圧縮機を駆動するガスエンジン、ガスエンジンの動力により発電する発電機、発電機の発電電力を充電すると共にガスエンジンの始動に必要な電力を供給可能なバッテリ、電装箱などが収容されている。
【先行技術文献】
【特許文献】
【０００３】
【特許文献１】特許第６０８７６９８号
【発明の概要】
【発明が解決しようとする課題】
【０００４】
空気調和システムの室外ユニットは、筐体が外装パネルにより覆われている。また、室外ユニットは、電気部品や配線を接続する端子台が搭載され、外装パネルを取り外すと、端子台が露出し、施工時や保守時に端子台に対して配線作業などの作業を行なうことができる。しかし、外装パネルを取り外すと、端子台が露出した状態となるため、雨天時に作業を行なう場合には、端子台に雨水が浸入しないように別途防水処置を施さなければならない。
【０００５】
本発明の端子台の防水構造は、端子台に対する作業性を損なうことなく、端子台の防水性を高めることを主目的とする。
【課題を解決するための手段】
【０００６】
本発明の端子台の防水構造は、上述の主目的を達成するために以下の手段を採った。
【０００７】
本発明の端子台の防水構造は、空気調和システムの室外ユニットに搭載される端子台の防水構造であって、前記端子台を覆う防水カバーを備え、前記防水カバーは、上端部が前記室外ユニットの筐体側に固定されると共に下端部が遊端部とされ、前記下端部を上方に引き上げることにより前記端子台が露出することを要旨とする。
【０００８】
この本発明の端子台の防水構造では、端子台を覆う防水カバーを備える。防水カバーは、上端部が室外ユニットの筐体側に固定されると共に下端部が遊端部とされ、下端部を上方に引き上げることにより端子台が露出する。防水カバーにより端子台を覆うため、その防水性を高めることができる。また、下端部を上方に引き上げるだけで端子台が露出するため、その作業性を損なわないようにすることができる。
【０００９】
こうした本発明の端子台の防水構造において、前記防水カバーは、柔軟なシート体により形成されるものとしてもよい。こうすれば、作業者は、防水カバーの上端部が固定された状態で下端部をめくり上げることにより、端子台を露出させることができ、より簡易な構成により防水性と作業性とを両立させることができる。
【００１０】
また、本発明の端子台の防水構造において、前記防水カバーは、透明または半透明のシート体により形成されるものとしてもよい。こうすれば、作業者は、防水カバーで端子台が覆われた状態でも当該端子台の中を確認することができる。
【００１１】
さらに、本発明の端子台の防水構造において、前記防水カバーは、前記上端部から下方へ離間した位置に差し込み部を有し、前記筐体は、前記端子台の上方において、前記差し込み部が差し込まれて前記端子台が露出した状態で前記防水カバーを保持する被差し込み部を有するものとしてもよい。こうすれば、作業者は、防水カバーを取り外すことなく、端子台を露出させた状態で防水カバーを筐体に保持することが容易となる。この場合、前記差し込み部は、前記防水カバーに形成された切れ込みであるものとしてもよい。さらにこの場合、前記切れ込みは、半円状に形成されているものとしてもよい。
【図面の簡単な説明】
【００１２】
【図１】空気調和システムの室外ユニット１０の外観を示す外観図である。
【図２】室外ユニット１０の筐体２０と端子台３０と防水カバー４０と外装パネル２６とを示す分解斜視図である。
【図３】防水カバー４０の正面図および側面図である。
【図４】防水カバー装着前の端子台の様子を示す説明図である。
【図５】防水カバー装着後の端子台の様子を示す説明図である。
【図６】端子台３０を露出させた状態を示す説明図である。
【図７】端子台３０を露出させた状態を示す説明図である。
【図８】端子台３０を露出させた状態を示す説明図である。
【図９】他の実施形態に係る防水カバー１４０を示す説明図である。
【図１０】他の実施形態に係る防水カバー２４０を示す説明図である。
【図１１】他の実施形態に係る防水カバー３４０Ａ，３４０Ｂを示す説明図である。
【図１２】端子台３０を露出させた状態を示す説明図である。
【図１３】端子台３０を露出させた状態を示す説明図である。
【発明を実施するための形態】
【００１３】
本発明を実施するための形態について説明する。
【００１４】
図１は空気調和システムの室外ユニット１０の外観を示す外観図であり、図２は室外ユニット１０の筐体２０と端子台３０と防水カバー４０と外装パネル２６とを示す分解斜視図である。また、図３は防水カバー４０の正面図および側面図であり、図４は防水カバー装着前の端子台の様子を示す説明図であり、図５は防水カバー装着後の端子台の様子を示す説明図である。
【００１５】
室外ユニット１０は、本実施形態では、コンプレッサと室外熱交換器１１と膨張弁と室内熱交換器とを接続する配管内を冷媒が循環することによって冷暖房を行なう冷暖房システムにおける室外ユニットである。室外ユニット１０は、本実施形態では、ガスエンジンやコンプレッサ、室外熱交換器１１、端子台３０などが搭載され、ガスエンジンの動力によりコンプレッサを駆動して冷媒を循環させるガスエンジンヒートポンプ（ＧＨＰ）として構成される。
【００１６】
室外ユニット１０は、図１に示すように、上下に長い立方体状の筐体２０を備える。筐体２０は、上下２室に区画されており、下段室には、ガスエンジンやコンプレッサ、端子台３０などが配置され、上段室には、室外熱交換器１１が配置される。筐体２０は、下段室の底部をなす下段室底板２１と、下段室底板２１の４隅にそれぞれ立設された支柱２２と、４つの支柱２２の上端で支持される天板２３と、により構成されている。また、筐体２０は、下段室底板２１と天板２３との間に、上段室の底部をなす上段室底板が設けられている。この上段室底板は、横方向に延びて支柱２２間を繋ぐように固定された帯状の横フレーム２４に支持されている。また、筐体２０の下段室の左面、右面および後面側は、側壁によって塞がれており、前面側は、分割された複数の外装パネル２５〜２９によって塞がれている。外装パネル２５〜２９は、ネジによって筐体２０（支柱２２，横フレーム２４）に対して着脱可能に取り付けられている。
【００１７】
筐体２０における外装パネル２６で覆われる位置には、図２に示すように、端子台３０が配置されている。端子台３０は、電源線や信号線の端子が接続され、図４に示すように、端子台ケース３１に収容されている。端子台ケース３１は、ネジによって支柱２２や横フレーム２４に固定されている。また、端子台３０は、防水カバー４０によって覆われている。
【００１８】
防水カバー４０は、作業者が外装パネル２６を取り外したときに内部に水が侵入しないようにするためのものであり、樹脂材料によりシート状に形成されている。この防水カバー４０は、本実施形態では、厚みが０．１〜１ｍｍ程度のポリプロピレン樹脂シート（例えば、積水成型工業の製品名ポリセーム（登録商標））が用いられる。防水カバー４０は、図２，図３（ａ），図５に示すように、上辺部の左端と右端とにそれぞれネジ挿通孔４１が形成されており、ネジ４９をネジ挿通孔４１に挿通させて端子台ケース３１の上端縁に形成されたネジ穴に螺合することにより、端子台ケース３１に固定される。防水カバー４０の下辺部は、端子台ケース３１に固定されない遊端部となっている。また、防水カバー４０は、本実施形態では、端子台３０が防水カバー４０に覆われている状態で作業者が端子台３０の端子や配線の様子を視認できるように透明または半透明により形成されている。更に、防水カバー４０は柔軟性を有しており、作業者は、防水カバー４０の上辺部が端子台ケース３１に固定された状態で下辺部（遊端部）をめくり上げることにより、端子台３０を露出させて、作業者が端子台３０に対して作業を容易に行なうことができる。
【００１９】
また、防水カバー４０は、図３（ａ），図５に示すように、面の中央よりも若干上側の位置と若干下側の位置とに切れ込み４２，４３が形成されている。切れ込み４２，４３は、本実施形態では、下向きの半円状に形成されている。切れ込み４２は、防水カバー４０の上辺部から当該切れ込み４２までの距離が、防水カバー４０の上辺部が固定される端子台ケース３１の上縁部からその上方の横フレーム２４までの距離と略等しくなる位置に形成され、切れ込み４３は、切れ込み４２よりも下方の位置に形成されている。更に、防水カバー４０は、図３（ｂ），図５に示すように、下辺部に、防水カバー４０が端子台ケース３１に固定された状態で端子台ケース３１とは反対側を向くように折り曲げ成形された折り曲げ部４４を有する。
【００２０】
こうして構成された防水カバー４０では、上辺部を端子台ケース３１の上縁部に固定させたまま下辺部（遊端部）をめくり上げ、図６に示すように、半円状の切れ込み４２を横フレーム２４の裏側に室外熱交換器１１との間で形成される隙間２４ａに差し込むことにより、端子台３０を露出させた状態で防水カバー４０を筐体２０（横フレーム２４）に保持させることができる。これにより、晴天時など、端子台３０の内部に水が侵入するおそれがないときには、端子台３０を完全に露出させた状態で防水カバー４０を筐体２０に保持させることにより、端子台３０に対する作業性を良好なものとすることができる。
【００２１】
また、防水カバー４０では、図７に示すように、半円状の切れ込み４３を横フレーム２４の裏側の隙間２４ａに差し込むことにより、防水カバー４０をカールさせた状態で筐体２０（横フレーム２４）に保持させことができる。防水カバー４０のカール部分は、雨水の浸入を防止するための庇の役割を果たし、雨天（小雨）時においても、端子台３０への水の浸入を抑制しつつ、端子台３０に対する作業性を十分に確保することができる。
【００２２】
更に、防水カバー４０では、図８に示すように、下辺部の折り曲げ部４４を横フレーム２４の裏側の隙間２４ａに差し込むことにより、防水カバー４０をカールさせた状態で筐体２０（横フレーム２４）に保持させることもできる。折り曲げ部４４を横フレーム２４の裏側の隙間２４ａに差し込んだ場合、切れ込み４３を横フレーム２４の裏側の隙間２４ａに差し込んだ場合に比して、防水カバー４０のカール部分が前方に張り出すため、雨水の浸入防止効果をさらに高めることができる。これにより、大雨時においても、端子台３０への水の浸入を効果的に抑制しつつ、端子台３０に対する作業性を確保することができる。
【００２３】
以上説明した実施形態の端子台の防水構造は、端子台３０を覆う防水カバー４０を備える。防水カバー４０は、上辺部が端子台ケース３１（筐体２０側）に固定されると共に下辺部が遊端部とされ、遊端部を上方にめくり上げることにより端子台３０が露出するように形成される。防水カバー４０により端子台３０を覆うため、雨水などの水の浸入を抑制することができる。また、防水カバー４０の遊端部を上方にめくり上げるだけで端子台３０が露出するため、端子台３０に対する配線作業などの作業性を損なわないようにすることができる。
【００２４】
また、実施形態の端子台の防水構造は、防水カバー４０が透明または半透明のシート体として形成される。これにより、作業者は、端子台３０が防水カバー４０に覆われている状態で端子台３０の端子や配線の様子を視認することができる。
【００２５】
更に、実施形態の端子台の防水構造は、防水カバー４０に下向き半円状の切れ込み４２が形成され、切れ込み４２が端子台３０上方の横フレーム２４の裏側の隙間２４ａに差し込まれることにより、端子台３０が露出した状態で防水カバー４０が筐体２０（横フレーム２４）に保持される。これにより、端子台３０に対する作業性を良好なものとすることができる。
【００２６】
実施形態では、切れ込み４２，４３を、下向き半円状に形成するものとした。しかし、Ｕ字状、逆三角形状など、筐体２０の構成部品に形成される差し込み口に差し込み可能な形状であれば、如何なる形状としても構わない。
【００２７】
実施形態では、防水カバー４０に切れ込み４２，４３を上下に２箇所設けるものとした。しかし、切れ込み４２，４３の一方または両方を省略してもよい。また、防水カバー４０がより確実に横フレーム２４（筐体２０）に保持されるように、切れ込みを横方向に複数箇所形成するものとしてもよい。
【００２８】
実施形態では、防水カバー４０の下辺部に折り曲げ部４４を形成し、折り曲げ部４４を端子台３０上方において横フレーム２４の裏側に形成された隙間２４ａに差し込むことにより、端子台３０を露出した状態で防水カバー４０を横フレーム２４（筐体２０）に保持するものとした。しかし、図９の防水カバー１４０に示すように、下辺部に下方に突き出たキノコ形の突出部１４４を設けると共に横フレーム２４にスリット２４ｂを設け、突出部１４４をスリット２４ｂに差し込むことにより、端子台３０を露出した状態で防水カバー１４０を横フレーム２４（筐体２０）に保持するものとしてもよい。なお、突出部１４４の形状は、キノコ形に限られず、矢印形やフック形など、横フレーム２４のスリット２４ｂに差し込んで保持することができるものであれば、如何なる形状であっても構わない。また、こうした折り曲げ形成部分や突出部１４４を省略してもよい。
【００２９】
実施形態では、防水カバー４０に切れ込み４２，４３や折り曲げ部４４を形成し、切れ込み４２，４３或いは折り曲げ部４４を横フレーム２４の裏側の隙間２４ａに差し込むことにより、端子台３０を露出した状態で防水カバー４０の遊端部を横フレーム２４（筐体２０）に保持するものとした。しかし、磁石を用いて防水カバーの遊端部を筐体に保持するものとしてもよい。
【００３０】
実施形態では、防水カバー４０の上辺部をネジ４９によって端子台ケース３１の上縁部に固定するものとした。しかし、図１０に示すように、防水カバー２４０の上辺部に上方に突き出たキノコ形の突出部２４１を設けると共に端子台ケース３１の上縁部にスリット３１ａを設け、突出部２４１をスリット３１ａに差し込むことにより防水カバー２４０の上辺部を端子台ケース３１に固定（係止）するものとしてもよい。なお、突出部２４１の形状は、キノコ形に限られず、矢印形やフック形など、端子台ケース３１のスリット３１ａに差し込んで保持することができるものであれば、如何なる形状であっても構わない。
【００３１】
実施形態では、端子台３０の開口部よりも若干大きいサイズの１枚の防水カバー４０を用いて当該端子台３０の開口部を覆うものとした。しかし、複数枚の防水カバーを上下方向または左右方向に並べて取り付けることにより複数枚の防水カバーで端子台３０の開口部を覆うものとしてもよい。例えば、図１１に示すように、２枚の防水カバー３４０Ａ，３４０Ｂを左右方向に並べて取り付けることにより端子台３０の開口部を覆うものとしてもよい。防水カバー３４０Ａ，３４０Ｂは、図１１に示すように、端子台３０の開口部の上下幅よりも若干大きい上下幅と、端子台３０の開口部の左右幅の約１／２の左右幅とを有するように形成され、左右に並べた状態で上辺部（右上部、左上部）がそれぞれネジ３４９Ａ，３４９Ｂにより端子台ケース３１の上端縁に固定されている。この他の実施形態によれば、図１２に示すように、右側の防水カバー３４０Ａの遊端部を上方へめくり上げることにより、端子台３０の開口部の左半分を防水カバー３４０Ｂで覆ったまま、開口部の右半分のみを露出させることができる。また、防水カバー３４０Ａの切れ込み３４２Ａをフレーム２４の裏側の隙間２４ａに差し込むことにより、端子台３０の右半分を露出させた状態で防水カバー３４０Ａを横フレーム２４（筐体２０）に保持させることができる。更に、図１３に示すように、左側の防水カバー３４０Ｂの遊端部を上方へめくり上げることにより、端子台３０の開口部の右半分を防水カバー３４０Ａで覆ったまま、開口部の左半分のみを露出させることができる。また、防水カバー３４０Ｂの切れ込み３４２Ｂをフレーム２４の裏側の隙間２４ａに差し込むことにより、端子台３０の左半分を露出させた状態で防水カバー３４０Ｂをフレーム２４に保持させることができる。
【００３２】
実施形態では、防水カバー４０を柔軟シートとして形成するものとした。しかし、防水カバーを硬質シートとして形成し、硬質シートの上辺部を端子台ケース３１の上縁部に対してヒンジを介して回動可能に取り付けるものとしてもよい。これにより、硬質シートで端子台３０が塞がれて水の浸入を防止することができ、硬質シートの下辺部を持ち上げることにより端子台３０を露出させて作業を行なうことが可能である。
【００３３】
実施形態では、室外ユニット１０を、ガスエンジンを動力源として用いてコンプレッサを駆動し冷媒を循環させるガスエンジンヒートポンプ（ＧＨＰ）として構成した。しかし、室外ユニットを、電気モータを動力源として用いてコンプレッサを駆動し冷媒を循環させる電気モータヒートポンプ（ＥＨＰ）として構成してもよい。
【００３４】
実施形態の主要な要素と課題を解決するための手段の欄に記載した発明の主要な要素との対応関係について説明する。実施形態では、室外ユニット１０が「室外ユニット」に相当し、端子台３０が「端子台」に相当し、防水カバー４０が「防水カバー」に相当する。また、切れ込み４２，４３や折り曲げ部４４が「差し込み部」に相当し、横フレーム２４の裏側の隙間２４ａが「被差し込み部」に相当する。
【００３５】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３６】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３７】
本発明は、室外ユニットの製造産業などに利用可能である。
【符号の説明】
【００３８】
１０  室外ユニット、１１  室外熱交換器、２０  筐体、２１  下段室底板、２２  支柱、２３  天板、２４  横フレーム、２４ａ  隙間、２４ｂ  スリット、２５〜２９  外装パネル、３０  端子台、３１  端子台ケース、３１ａ  スリット、４０，１４０，２４０，３４０Ａ，３４０Ｂ  防水カバー、４１  ネジ挿通孔、４２，４３，３４２Ａ，３４２Ｂ  切れ込み、４４  折り曲げ部、４９，３４９Ａ，３４９Ｂ  ネジ、１４４  突出部，２４１  突出部。
【図１】
2018169092.tif 000003
【図２】
2018169092.tif 000004
【図３】
2018169092.tif 000005
【図４】
2018169092.tif 000006
【図５】
2018169092.tif 000007
【図６】
2018169092.tif 000008
【図７】
2018169092.tif 000009
【図８】
2018169092.tif 000010
【図９】
2018169092.tif 000011
【図１０】
2018169092.tif 000012
【図１１】
2018169092.tif 000013
【図１２】
2018169092.tif 000014
【図１３】
2018169092.tif 000015